Podtech/llm-jp-corpus-v4-ja_patent huggingface dataset:
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
鼻マスクシステムであって、
シーリング領域を含むクッションアセンブリであって、前記シーリング領域が、患者の鼻の両方の鼻孔の周囲をシールするように構成された、鼻堤領域、鼻側面領域、鼻隅領域、および上唇領域を有する、クッションアセンブリを備え、
前記鼻側面領域は、実質的に、前記患者の鼻の大鼻翼軟骨と側鼻軟骨との間の接合部に隣接する領域に沿った患者の鼻の軟骨質の骨組み上に位置付けられるように、かつシールするように構成された部分を含む、鼻マスクシステム。
【請求項２】
前記クッションアセンブリの鼻側面領域が、患者の鼻の鼻翼または広がりにわたって延在している請求項１に記載の鼻マスクシステム。
【請求項３】
前記鼻マスクシステムは、鼻梁または鼻骨上の肌に接触することなく鼻堤に沿ってシールを形成するシール形成領域を有するように構成された請求項１または２に記載の鼻マスクシステム。
【請求項４】
前記シーリング領域が、前記シーリング領域の周囲全体の周りに延在する膜を含み、かつ前記部分が、その内周に沿って前記膜の端部から突出するウイングまたはシーリングフラップを含む請求項１から３のいずれか一項に記載の鼻マスクシステム。
【請求項５】
前記ウイングまたはシーリングフラップは、前記クッションアセンブリによって設けられた呼吸チャンバから外向きに離れて少なくとも部分的に角度を付けられている、または予め偏倚されている請求項４に記載の鼻マスクシステム。
【請求項６】
前記ウイングまたはシーリングフラップは、前記接合部内をシールするための偏倚を付与する呼吸チャンバに向かって湾曲されている請求項４または５に記載の鼻マスクシステム。
【請求項７】
前記シーリングフラップの形状、可撓性、および予めの偏倚は、使用中、シールを維持して漏れを防ぐように接合部の曲率または輪郭形状の変化に対応できるようにしている請求項４から６のいずれか一項に記載の鼻マスクシステム。
【請求項８】
前記膜の内周に沿った膜の端部は、前記シーリングフラップの内周に沿った各シーリングフラップの端部と共に、協働して、前記クッションアセンブリのプレナムチャンバ内にオリフィスを規定している請求項４から７のいずれか一項に記載の鼻マスクシステム。
【請求項９】
前記膜およびシーリングフラップが、概してＴ字形のオリフィスを規定している請求項８に記載の鼻マスクシステム。
【請求項１０】
前記オリフィスが概してＴ字形を有し、前記Ｔ字形が、上側オリフィス部分と、前記上側オリフィス部分に対して直角に延在する下側オリフィス部分と、を有する請求項８または９に記載の鼻マスクシステム。
【請求項１１】
前記シーリングフラップが、前記オリフィスを規定する端部の曲率および／または角度を変える請求項８から１０のいずれか一項に記載のマスクシステム。
【請求項１２】
前記オリフィスの端部が、少なくとも前記シーリングフラップに沿って呼吸チャンバから離れて上向きおよび外向きに湾曲している請求項８から１１のいずれか一項に記載の鼻マスクシステム。
【請求項１３】
前記鼻堤領域および前記上唇領域を通る断面図において、
前記鼻堤領域において、または前記鼻側面領域において、または前記鼻側面領域および膜の端から突出するウィングまたはシーリングフラップの少なくとも一部において、単一の層または膜のみが構造化されており、かつ
前記上唇領域において、および／または、前記鼻隅領域および上唇領域において、二重の層または膜およびアンダークッションが構造化されている請求項４から１２のいずれか一項に記載の鼻マスクシステム。
【請求項１４】
前記クッションアセンブリは、２つのヘッドギアコネクタと、側壁または側壁領域と、アタッチメント領域と、をさらに備える請求項１から１３のいずれか一項に記載の鼻マスクシステム。
【請求項１５】
前記クッションアセンブリが、可撓性エラストマまたはゴムから形成されている請求項１から１４のいずれか一項に記載の鼻マスクシステム。
【請求項１６】
前記クッションアセンブリが、前記クッションアセンブリのシーリング領域の上唇領域に隣接した、より薄い壁区画を有する請求項１から１５のいずれか一項に記載の鼻マスクシステム。
【請求項１７】
ヘッドギアアセンブリと、エルボーアセンブリと、空気供給アセンブリと、をさらに備える請求項１から１６のいずれか一項に記載の鼻マスクシステム。
【請求項１８】
前記ヘッドギアアセンブリが、前記鼻マスクシステムへの２点接続を行う１対の側部ストラップを含むとともに、患者の耳の下を通る側部ストラップなしに装着または取り外しされるように構成および配置されている請求項１７に記載の鼻マスクシステム。
【請求項１９】
前記ヘッドギアアセンブリが、後部ストラップをさらに含み、前記側部ストラップが、患者の目と鼻との間で患者の顔の側面に沿って延在するように構成され、かつ前記後部ストラップが、前記側部ストラップと前記側部ストラップとの間を延在するとともに、後頭骨に沿って、後頭骨の下で、または後頭骨よりも下位で、患者の頭部の背面または後部領域に沿って係合するように構成された請求項１８に記載の鼻マスクシステム。
【請求項２０】
前記鼻堤領域が、鼻軟骨領域に沿って位置付けられるとともにシールするように構成されており、前記鼻軟骨領域が、鼻尖の上にあるとともに患者の鼻堤の鼻骨領域の下にあり、前記シーリング領域が、前記シーリング領域の全周囲の周りに延在する膜のシールと、上唇および鼻隅領域内にのみ設けられたアンダークッションと、含む請求項１から１９のいずれか一項に記載の鼻マスクシステム。
【請求項２１】
前記膜およびアンダークッションが、上唇および鼻隅領域内に圧迫シールを形成する請求項２０に記載の鼻マスクシステム。
【請求項２２】
呼吸可能気体を排出するように構成された通気口をさらに備え、前記通気口が、つぶれるのを回避するのに十分な剛体であるように構成された請求項１から２１のいずれか一項に記載の鼻マスクシステム。
【手続補正書】
【提出日】平成27年11月10日(2015.11.10)
【手続補正１】
【補正対象書類名】特許請求の範囲
【補正対象項目名】請求項１２
【補正方法】変更
【補正の内容】
【請求項１２】
長手軸に沿って伸長するボディー部を含む血管内グラフトを得る工程、ここで、該ボディー部は、拡張性であり、かつ第1の末端、第2の末端および内部経路を有し；該ボディー部は、第1の末端で該経路と連絡する第1の開口部を含み、該開口部は、長手軸と実質的に交差し；該ボディー部は、内部経路と連絡する少なくとも1つの側方開窓を含み；該ボディー部は、第1の末端と第2の末端の間にくびれ部を有し；該ボディー部は、くびれ部と、第1の末端および第2の末端の間に少なくとも1つのカニューレ挿入部を有する；ならびに
治療結果に影響を及ぼすように血管内グラフトを植え込む工程
を含む患者の血管を修復する方法において使用するための、請求項１〜１１いずれか記載の血管内グラフト。
【手続補正２】
【補正対象書類名】特許請求の範囲
【補正対象項目名】請求項１３
【補正方法】変更
【補正の内容】
【請求項１３】
植え込む工程が、
a) 大動脈内に血管内グラフトを設置すること、ここで該血管内グラフトは、前方放射線不透過性マークにより方向づけられ、かつ最適な高さで展開される；
b) 部分的に収縮するワイヤにより血管内グラフトを解放すること；
c) カニューレ挿入部内にカテーテルを導入すること、ここで標的分枝動脈口とかみ合い、分枝動脈にカニューレ挿入される；
d) 分枝動脈内にガイドワイヤを導入し、カニューレ挿入部と分枝動脈の内側の最初の距離との間隔を測定すること；
e) 第2のエンドグラフトを設置して、分枝動脈とカニューレ挿入部を架橋すること；および
f) 第2のエンドグラフトをバルーン成形すること、ここでその後に最終的な動脈造影が行われる
を含む、請求項１２記載の血管内グラフト。
【手続補正３】
【補正対象書類名】特許請求の範囲
【補正対象項目名】請求項１４
【補正方法】変更
【補正の内容】
【請求項１４】
第1の腔および1つ以上の第2の腔を有する管状ボディー部；ならびに
管状ボディー部から伸長する円筒部
を含む、血管内グラフトであって、
該円筒部は、第1の腔と液体連絡しており、ここで1つ以上の第2の腔は、管状ボディー部の円周の周囲に配置され、血管内グラフト伸長部に連結されるようにそれぞれ構成される、血管内グラフト。
【手続補正４】
【補正対象書類名】特許請求の範囲
【補正対象項目名】請求項１９
【補正方法】変更
【補正の内容】
【請求項１９】
患者の血管を修復する方法において使用するための請求項１４〜１８いずれか記載の血管内グラフトであって、該方法が、
第1の腔および1つ以上の第2の腔を有する管状ボディー部、および管状ボディー部から伸長する円筒部を含む血管内グラフトを得る工程、ここで、該円筒部は、第1の腔と液体連絡し、1つ以上の第2の腔は、管状ボディー部の円周の周囲に配置され、血管内グラフト伸長部に連結されるようにそれぞれ構成される；ならびに
胸-腹動脈瘤を治療するために、患者内に血管内グラフトを植え込む工程
を含む、血管内グラフト。
【手続補正５】
【補正対象書類名】特許請求の範囲
【補正対象項目名】請求項２０
【補正方法】変更
【補正の内容】
【請求項２０】
植え込む工程が、
大腿動脈から胸大動脈にガイドワイヤを供給すること、
血管内グラフトおよび大動脈伸長部を、ガイドワイヤにより胸大動脈へと誘導すること、
血管内グラフトを所望の位置に展開すること、
1つ以上の第2の腔にカニューレ挿入すること、ならびに
第2の腔と、対応する分枝動脈内の最初の距離との間に、1つ以上の血管内グラフト伸長部を配置すること
を含む、請求項１９記載の血管内グラフト。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
複数のサンプルから構成された画像データをデコードする方法において、
エンコードされた、サンプルのサンプル値を受け取るステップと、
エンコードされた、位置を示す位置データを受け取るステップと、
エンコードされた、オフセットを示すデータを受け取るステップと、
前記位置データをデコードし、前記デコードされた位置データに基づいて、予め定められた個数の部分範囲からなる前記サンプル値の全範囲から、当該全範囲の半分よりも小さい範囲を決定するステップと、
前記エンコードされたサンプルのサンプル値および前記エンコードされたオフセットを示すデータをデコードするステップと、
前記デコードされたオフセットと前記決定された範囲を構成する部分範囲とをそれぞれ関連付けるステップと、
前記決定された範囲を構成する部分範囲にそれぞれ関連付けられたオフセットを、当該部分範囲に対応するサンプルのサンプル値に適用する処理を行うステップと、
を備えることを特徴とする方法。
【請求項２】
前記決定ステップにおいて決定された範囲は、前記全範囲の１／８であることを特徴とする請求項１に記載の方法。
【請求項３】
前記決定ステップにおいて決定された範囲は、４つの連続する部分範囲によって構成されていることを特徴とする請求項１または請求項２に記載の方法。
【請求項４】
前記位置データは、前記決定された範囲の中心を表わすデータであることを特徴とする請求項１に記載の方法。
【請求項５】
前記位置データは、前記決定された範囲に関連するインデックスを表わすデータであることを特徴とする請求項１に記載の方法。
【請求項６】
前記位置データは、前記全範囲のうち、前記決定された範囲の位置を表わすデータであることを特徴とする請求項１から５のいずれか一項に記載の方法。
【請求項７】
前記位置は、前記決定された範囲の端部位置であることを特徴とする請求項６に記載の方法。
【請求項８】
前記端部位置は、前記全範囲の一方の端部からの変位として表わされることを特徴とする請求項７に記載の方法。
【請求項９】
請求項１から８のいずれか一項に記載の方法をコンピュータに実行させるためのコンピュータプログラム。
【請求項１０】
請求項１から９のいずれか一項に記載の方法を実施するためのコンピュータプログラムを記憶するコンピュータ可読記憶媒体。
【請求項１１】
複数のサンプルから構成された画像データをデコードするための装置において、
エンコードされた、サンプルのサンプル値を受け取るための手段と、
エンコードされた、位置を示す位置データを受け取るための手段と、
エンコードされた、オフセットを示すデータを受け取るための手段と、
前記位置データをデコードし、前記デコードされた位置データに基づいて、予め定められた個数の部分範囲からなる前記サンプル値の全範囲から、当該全範囲のうちの半分よりも小さい範囲を決定する手段と、
前記エンコードされたサンプルのサンプル値および前記エンコードされたオフセットを示すデータをデコードするための手段と、
前記デコードされたオフセットと前記決定された範囲を構成する部分範囲とをそれぞれ関連付けるための手段と、
前記決定された範囲を構成する部分範囲にそれぞれ関連付けられたオフセットを、当該部分範囲に対応するサンプルのサンプル値に適用する処理を行う手段と、
を備えることを特徴とする装置。
【請求項１２】
前記決定手段によって決定された範囲は、前記全範囲の１／８であることを特徴とする請求項１１に記載の装置。
【請求項１３】
前記決定手段によって決定された範囲は、４つの連続する部分範囲によって構成されていることを特徴とする請求項１１または請求項１２に記載の装置。
【請求項１４】
前記位置データは、前記決定手段によって決定された範囲の中心を表わすデータであることを特徴とする請求項１１に記載の装置。
【請求項１５】
前記位置データは、前記決定手段によって決定された範囲に関連するインデックスを表わすデータであることを特徴とする請求項１１に記載の装置。
【請求項１６】
前記位置データは、前記全範囲のうち、前記決定手段によって決定された範囲の位置を表わすデータであることを特徴とする請求項１１から１５のいずれか一項に記載の装置。
【請求項１７】
前記位置は、前記前記決定手段によって決定された範囲の端部位置であることを特徴とする請求項１６に記載の装置。
【請求項１８】
前記端部位置は、前記全範囲の一方の端部からの変位として表わされることを特徴とする請求項１７に記載の装置。
【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】変更
【補正の内容】
【００３１】
本発明の１つの態様によれば、複数のサンプルから構成された画像データをデコードする方法において、エンコードされた、サンプルのサンプル値を受け取るステップと、エンコードされた、位置を示す位置データを受け取るステップと、エンコードされた、オフセットを示すデータを受け取るステップと、前記位置データをデコードし、前記デコードされた位置データに基づいて、予め定められた個数の部分範囲からなる前記サンプル値の全範囲から、当該全範囲の半分よりも小さい範囲を決定するステップと、前記エンコードされたサンプルのサンプル値および前記エンコードされたオフセットを示すデータをデコードするステップと、前記デコードされたオフセットと前記決定された範囲を構成する部分範囲とをそれぞれ関連付けるステップと、前記決定された範囲を構成する部分範囲にそれぞれ関連付けられたオフセットを、当該部分範囲に対応するサンプルのサンプル値に適用する処理を行うステップと、を備えることを特徴とする方法が提供される。
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
ａ）
ｉ．Ｃ１〜Ｃ１８（メタ）アクリル酸エステルモノマー単位、
ｉｉ．酸官能性エチレン性不飽和モノマー単位、
ｉｉｉ．任意選択で、非酸官能性エチレン性不飽和極性モノマー単位、
ｉｖ．任意選択で、ビニルモノマー単位、及び
ｖ．任意選択で、多官能性（メタ）アクリレート、を含む、６０重量部以上の、＜２０℃のＴｇを有する低Ｔｇ（メタ）アクリレートコポリマー成分と、
ｂ）
ｉ．高Ｔｇ（メタ）アクリル酸エステルモノマー単位、
ｉｉ）任意選択で、酸官能性エチレン性不飽和モノマー単位、
ｉｉｉ）任意選択で、低Ｔｇ（メタ）アクリル酸エステルモノマー単位、
ｉｖ）任意選択で、非酸官能性エチレン性不飽和極性モノマー単位、及び
ｖ）任意選択で、ビニルモノマー単位、を含む、最大４０重量部の、＞２０ｋのＭｗ及び＞５０℃のＴｇを有する高Ｔｇアクリレートコポリマーと、
ｃ）ａ）及びｂ）１００重量部を基準として、０．１〜２０重量部の水素添加炭化水素粘着付与剤と、を含み、
前記低Ｔｇ（メタ）アクリレートコポリマー成分が、溶媒モノマー中に溶質低Ｔｇコポリマーを含むシロップコポリマーを含む、接着剤組成物。
【請求項２】
前記低Ｔｇ溶質コポリマーが、全モノマーの１００重量部に基づいて、
ｉ．８５〜９９．５重量部の（メタ）アクリル酸エステル、
ｉｉ．０．５〜１５重量部の酸官能性エチレン性不飽和モノマー、
ｉｉｉ．０〜１０重量部の非酸官能性エチレン性不飽和極性モノマー、
ｉｖ．０〜５部のビニルモノマー、及び
ｖ．０〜５部の多官能性（メタ）アクリレート、
を含む、請求項１に記載の接着剤組成物。
【請求項３】
前記シロップコポリマーが、溶媒モノマー中最大３０重量部の前記溶質コポリマーを含む、請求項１に記載の接着剤組成物。
【請求項４】
前記低Ｔｇ（メタ）アクリレートコポリマー成分ａ）が、溶媒中に溶質低Ｔｇコポリマーを含む溶液コポリマーを含む、請求項１に記載の接着剤組成物。
【請求項５】
ｄ）架橋剤を更に含む、請求項１に記載の接着剤組成物。
【請求項６】
前記架橋剤が、トリアジン架橋剤である、請求項５に記載の接着剤組成物。
【請求項７】
前記低Ｔｇ（メタ）アクリレートコポリマー成分の（メタ）アクリル酸エステルモノマー単位が、２−アルキルアルカノールのアクリル酸エステルを含む、請求項１に記載の接着剤組成物。
【請求項８】
基材と、その表面上の請求項１に記載の接着剤のコーティングと、を備える、接着剤物品。
【請求項９】
低Ｔｇコポリマーの総モノマー１００重量部を基準として、
ｉ．６５〜９８．５重量部の（メタ）アクリル酸エステルモノマー、
ｉｉ．１〜２０重量部の高Ｔｇ（メタ）アクリル酸エステルモノマー、
ｉｉｉ．０．５〜１５重量部の酸官能性エチレン性不飽和モノマー、
ｉｖ．０〜１０重量部の非酸官能性エチレン性不飽和極性モノマー、
ｖ．０〜５部のビニルモノマー、及び
ｖｉ．０〜５部の多官能性（メタ）アクリレート、
を含む、請求項１に記載の接着剤組成物。
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
免疫賦活剤の投与と同時に、別々に又は順次に免疫原性細胞死治療を受けることを意図された患者における腫瘍性疾患の治療及び／又は制御に使用するための、非病原性の熱殺菌された全細胞マイコバクテリウムを含む免疫賦活剤であって、
前記マイコバクテリウムは、Ｍ．ｖａｃｃａｅ、Ｍ．ｏｂｕｅｎｓｅ及びこれらの組み合わせから選択され、
前記免疫原性細胞死療法が、マイクロ波照射療法、標的放射線療法、動脈塞栓術、凍結療法、超音波療法、強力集束超音波療法、サイバーナイフ療法、温熱療法、ラジオ波切除療法、冷凍切除術、電気メス加熱術、温水注入療法、アルコール注入療法、動脈塞栓術、放射線照射療法、光線力学的療法、レーザービーム照射療法、及びこれらの組み合わせから選択され、
前記免疫原性細胞死療法が、前記腫瘍性疾患の腫瘍の完全な除去又は根絶を意図しない次善のレベルで実施される、
免疫賦活剤。
【請求項２】
前記腫瘍が転移性である、請求項１に記載の免疫賦活剤。
【請求項３】
前記非病原性の熱殺菌されたマイコバクテリウムが、ラフ変異株である、請求項１または２に記載の免疫賦活剤。
【請求項４】
前記非病原性の熱殺菌されたマイコバクテリウムが、非経口経路、経口経路、舌下経路、経鼻経路又は肺経路で投与するためのものである、請求項１〜３のいずれか一項に記載の免疫賦活剤。
【請求項５】
前記非経口経路が、皮下注入、皮内注入、皮下（ｓｕｂｄｅｒｍａｌ）注入、腹膜内注入、静脈内注入又は小胞内注入である、請求項４に記載の免疫賦活剤。
【請求項６】
前記非経口経路が腫瘍内注入を含まない、請求項５に記載の免疫賦活剤。
【請求項７】
前記免疫原性細胞死療法が電離放射線によるものである、請求項１〜６のいずれか一項に記載の免疫賦活剤。
【請求項８】
前記免疫賦活剤の投与が、前記免疫原性細胞死療法の前及び／又は後である、請求項１〜７のいずれか一項に記載の免疫賦活剤。
【請求項９】
前記免疫賦活剤の投与が、前記免疫原性細胞死療法の前の及び／又は後の４週間〜１週間である、請求項８に記載の免疫賦活剤。
【請求項１０】
前記免疫賦活剤の投与が、前記免疫原性細胞死療法の前の及び／又は後の約４週間〜１週間に１回又は複数回の間隔で投与される有効量の１つ又は複数のアリコートの投与を含み、かつ腫瘍の退化治療後に引き続き患者に適用される、請求項９に記載の免疫賦活剤。
【請求項１１】
前記免疫賦活剤が、腫瘍細胞の免疫原性細胞死後に、及び／又は前記疾患の安定期中に前記患者に投与される、請求項１〜１０のいずれか一項に記載の免疫賦活剤。
【請求項１２】
前記腫瘍が、前立腺癌、肝臓癌、腎癌、肺癌、乳癌、結腸直腸癌、乳癌、膵臓癌、脳腫瘍、肝細胞癌、リンパ腫、白血病、胃癌、子宮頸癌、卵巣癌、甲状腺癌、黒色腫、上皮性悪性腫瘍、頭頸部癌、皮膚癌及び軟部組織肉腫から選択される癌に関連する、請求項１〜１１のいずれか一項に記載の免疫賦活剤。
【請求項１３】
前記腫瘍が結腸直腸癌に関連する、請求項１２に記載の免疫賦活剤。
【請求項１４】
前記治療が患者の腫瘍性疾患に対する遠達効果を含む、請求項１〜１４のいずれか一項に記載の免疫賦活剤。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
血小板溶解物を生産する方法であって、
血小板の集団を少なくとも１回の凍結融解サイクルに供するステップを含み、
各サイクルの凍結部分が、約−１９０℃以下の温度で行われる、
方法。
【請求項２】
請求項１に記載の方法であって、
前記方法が、血小板の集団を、３回または４回の凍結融解サイクルに供するステップを含むことを特徴とする、
方法。
【請求項３】
請求項１または２に記載の方法であって、
低温手段として液体窒素が用いられて、それによって、各サイクルの凍結部分における浸漬が、９５％以上の血小板の溶解をもたらし、より多くの増殖因子の放出、および、制限されないが線維芽細胞およびＰＧＤＦのアッセイにより測定可能な、細胞の増殖、修復および再生における改善された機能をもたらすことを特徴とする、
方法。
【請求項４】
血小板溶解物を生産する方法であって、
血小板の集団を、機械的ホモジナイゼーション（「ワーリングブレンダー」）、液体ホモジナイゼーション、超音波処理、各サイクルの凍結部分が約−１９０℃以下の温度で行われる凍結融解、７５％より高いが典型的に９０％より高い液体窒素中での機械的研削、増殖因子を血小板およびα顆粒から溶液中に放出させる溶解に、供するステップを含み、
回転羽根が細胞および組織をすり砕いて散乱させ；
細胞または組織懸濁液は狭い空間を通すことにより剪断され；
高周波音波が細胞を剪断し；
凍結および解凍の繰り返しサイクルが氷晶形成を介して細胞を破壊し；
液体窒素中で凍結された組織を研削し、
溶解は、血小板およびα顆粒から溶液中に増殖因子を放出するものである、
方法。
【請求項５】
請求項１から４のいずれか一項に記載の方法であって、
前記方法が、前記血小板溶解物を凍結乾燥させるステップをさらに含むことを特徴とする、
方法。
【請求項６】
血小板溶解物であって、
請求項１から５のいずれか一項に記載の方法を用いて生産される、
血小板溶解物。
【請求項７】
請求項６に記載の血小板溶解物であって、
前記血小板溶解物が液体窒素中に含まれる、
血小板溶解物。
【請求項８】
請求項６または７に記載の血小板溶解物であって、
それを必要とする患者における創傷、肛門裂傷、膣萎縮または皺の治療方法での使用のための、
血小板溶解物。
【請求項９】
創傷、肛門裂傷、膣萎縮または皺の治療において使用するための医薬組成物の製造における、請求項６または７に記載の血小板溶解物の使用。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
外的刺激に曝露されると特性が変化し得る有機−無機ハイブリッド材料を形成するための方法において、
プレポリマーを用意すること；および
該プレポリマーに官能性有機金属材料を結合させることを含む方法であって、該ハイブリッド材料は、官能性部分を含み、外的刺激に応答する方法。
【請求項２】
該プレポリマーは、メタロキサンである請求項１に記載の方法。
【請求項３】
該プレポリマーは、Ｓｉ、Ｔｉ、Ｆｅ、Ａｌ、Ｚｒ、Ｎｂ、Ｙ、Ｂ、Ｃｅ、Ｖ、Ｚｎ、Ｃｕ、Ｎｉ、Ｃｏ、Ｇｅ、Ｍｎ、Ｍｇ、Ｃｒ、Ｆｅ、Ｖ、希土類金属、またはそれらの２種以上の組合せから選択される金属を含む請求項１または２に記載の方法。
【請求項４】
該プレポリマーは、該金属を約２５重量パーセント以上の量で含む請求項１から３のいずれか一項に記載の方法。
【請求項５】
該プレポリマーは、シロキサンを含み、該シロキサンは、ポリアルコキシシロキサンを含み、より好ましくは、該シロキサンは、オルトケイ酸テトラメチル（ＴＭＯＳ）、オルトケイ酸テトラエチル（ＴＥＯＳ）、オルトケイ酸テトラプロピル（ＴＰＯＳ）、テトラメトキシシラン、テトラブトキシシラン、メチルトリメトキシシラン（ＭＴＭＳ）、メチルトリエトキシシラン（ＭＴＥＳ）、フェニルトリメトキシシラン、イソブチルトリメトキシシラン、より高次のテトラアルコキシシラン、アルコキシシランから誘導されたシロキサンオリゴマー、および前重合アルコキシシラン、またはそれらの２種以上の組合せから誘導される請求項１に記載の方法。
【請求項６】
該官能性有機金属材料は、（ａ）金属に結合した脱離基を含む金属成分と、（ｂ）該金属原子に結合した有機官能性部分とを含み、
該有機金属材料は、Ｓｉ、Ｔｉ、Ｆｅ、Ａｌ、Ｚｒ、Ｎｂ、Ｙ、Ｂ、Ｃｅ、Ｖ、Ｚｎ、Ｃｕ、Ｎｉ、Ｃｏ、Ｇｅ、Ｍｎ、Ｍｇ、Ｃｒ、Ｆｅ、Ｖ、希土類金属、またはそれらの２種以上の組合せから選択される金属を含み、
該脱離基は、アルコキシ基、ハロゲン、またはそれらの組合せを含む請求項１から５のいずれか一項に記載の方法。
【請求項７】
該有機官能性部分は、グリコール、アルキレングリコール、アクリル、アミド、第四級アンモニウム化合物、ホスフェート、ホスホネート、スルホネート、アミノ、メルカプト、アルキル、アルキン、アルケン、アゾ、共役アルケン、環式化合物、アルコール、またはそれらの２種以上の組合せを含み、好ましくは、該有機官能性部分は、ポリアルキレングリコールアルキルエーテル、アミン末端ポリアルキレングリコールアルキルエーテル、アルキルアクリルアミド、アルキルメタクリルアミド、塩化ベンズアルコニウム、置換塩化ベンズアルコニウム、ジ（Ｃ６〜Ｃ１４）アルキル二短鎖（Ｃ１〜４アルキルおよび／またはヒドロキシアルキル）第四級アンモニウム塩、塩化ベンゼトニウム、塩化メチルベンゼトニウム、塩化セチルピリジニウム、それらのポリマー、またはそれらの２種以上の組合せから誘導される請求項６に記載の方法。
【請求項８】
該プレポリマーを用意することは、
水と、第１の触媒と、酸素化材料とを含む反応系に金属源を添加し、該混合物を反応させることによって該プレポリマーを形成すること
を含む請求項１から７のいずれか一項に記載の方法。
【請求項９】
該第１の触媒は、塩酸、硝酸、硫酸、リン酸、フッ素酸、ギ酸、酢酸、プロピオン酸、ブタン酸、ペンタン酸、ヘキサン酸、モノクロロ酢酸、ジクロロ酢酸、トリクロロ酢酸、トリフルオロ酢酸、シュウ酸、マロン酸、スルホン酸、フタル酸、フマル酸、クエン酸、マレイン酸、メチルマロン酸、アジピン酸、ｐ−トルエンスルホン酸、またはそれらの２種以上の組合せから選択され、
該酸素化材料は、１から８個の炭素原子を含む第一級アルコール、第二級アルコールまたは第三級アルコール；ヒンダードアルコール；環式アルコール；メチルターシャリーブチルエーテル、置換アルコール；ジオール；テトラヒドロフラン；ピロリドン；置換ピロリドン；ジメチルスルホキシド；フルフラール；またはそれらの２種以上の組合せから選択される請求項８に記載の方法。
【請求項１０】
該官能性有機金属材料を該プレポリマーに結合させることは、該官能性有機金属材料および水を、該プレポリマーを含む溶液に添加することを含む請求項１から９のいずれか一項に記載の方法。
【請求項１１】
該グラフトは、約１５℃から約５０℃の温度で実施される請求項１０に記載の方法。
【請求項１２】
該官能性有機金属材料の該プレポリマーへの添加を連続的添加または間欠的添加によって実施することができる請求項１０または１１に記載の方法。
【請求項１３】
水および塩基触媒を含む溶液中で該有機−無機ハイブリッド材料を反応させることによって有機−無機ハイブリッド粒子を形成することをさらに含む請求項１から１２のいずれか一項に記載の方法。
【請求項１４】
該有機−無機ハイブリッド材料、水および該塩基触媒を含む該溶液の水、またはその両方が、非イオン性またはイオン性界面活性剤を含み、該界面活性剤は、好ましくは、ポリグリコール、アルキレンオキシド、環式炭化水素、炭素数が５から１２の直鎖状もしくは分枝状脂肪族炭化水素、およびそれらのアルキル誘導体、またはそれらの２種以上の組合せ、またはそれらの組合せを含む請求項１３に記載の方法。
【請求項１５】
有機−無機ハイブリッド材料、水および該塩基触媒を含む該溶液の水、またはその両方に高極性材料を添加することを含み、該高極性材料は、好ましくは、脂環式化合物、３〜１２個の炭素原子を有する直鎖状および／または分枝状脂肪族、芳香族、アルキル化芳香族、環式アルケン、環式アルカン、またはそれらの２種以上の組合せから選択される請求項１４に記載の方法。
【請求項１６】
該塩基触媒は、非アルカリ金属塩基材料、有機塩基材料、非金属塩基材料、またはそれらの２種以上の組合せを含み、
該非アルカリ金属塩基は、水酸化アンモニウム、炭酸アンモニウムの水溶液、重炭酸アンモニウムの水溶液、第四級アルキルアンモニウム水酸化物、ヒドロキシルアミンおよび有機ヒドロキシルアミン、またはそれらの２種以上の組合せを含む請求項１３から１５のいずれか一項に記載の方法。
【請求項１７】
請求項１から１６のいずれか一項に記載の方法によって形成された粒子であり、好ましくは約２０オングストロームから約２０００オングストロームの平均孔径を有し、より好ましくは約０．２５ミクロン以上のマクロ細孔を含む。
【誤訳訂正書】
【提出日】平成27年11月16日(2015.11.16)
【誤訳訂正１】
【訂正対象書類名】特許請求の範囲
【訂正対象項目名】全文
【訂正方法】変更
【訂正の内容】
【特許請求の範囲】
【請求項１】
特にプリント基板として使用するための、埋め込まれた導電性の金属構造体若しくは金属化部を備えた基板を製造する方法において、基板に、レーザ技術によって溝及び／又は切欠きを刻み込み、次いでこれらの溝及び／又は切欠き内に金属構造体を形成することを特徴とする、埋め込まれた導電性の金属構造体若しくは金属化部を備えた基板を製造する方法。
【請求項２】
前記基板は、平面的な板とは異なる、即ち三次元の湾曲された、又は角張った幾何学形状を有している、請求項１記載の方法。
【請求項３】
前記基板は、セラミック基板又はプラスチック基板である、請求項１又は２記載の方法。
【請求項４】
前記セラミック基板は、ＡｌＮセラミックから成っており、レーザにより前記溝及び／又は切欠きを刻み込んだ後に、分解によりＡｌを形成し、次いでこのＡｌを、ニッケル、金又は銅、及びこれらの合金又はこれらの混合物の、無電解めっきのような公知の方法により、更に補強する、請求項３記載の方法。
【請求項５】
前記溝及び／又は切欠きを形成した後に、前記セラミック基板を例えば酢酸銀又は酢酸銅のような有機金属塩溶液に浸漬させ、次いで、前記溝及び／又は切欠き内の金属塩を、適当なレーザによって露光させて、前記金属塩を、セラミックにしっかりと付着して結合する元素に変換させる、請求項３記載の方法。
【請求項６】
前記金属塩に酸化物、又は酢酸亜鉛等のガラスを形成する添加物、又はシリコーンを添加する、請求項５記載の方法。
【請求項７】
前記溝及び／又は切欠きを形成した後で、これらの溝及び／又は切欠きに金属から成る厚膜ペーストを充填し、次いで適当なレーザを用いて直接にレーザトラック内、即ち前記溝及び／又は切欠き内を焼結させる、請求項３記載の方法。
【請求項８】
前記溝及び／又は切欠き以外の露光されていない箇所、又は前記溝及び／又は切欠きの部分領域において露光されていない箇所は、洗浄除去するか、又は研削除去する、請求項１から７までのいずれか１項記載の方法。
【請求項９】
前記溝及び／又は切欠き内の金属化部を、無電流式又は陰極式に補強し且つ／又は被覆金属によって被覆する、請求項１から８までのいずれか１項記載の方法。
【請求項１０】
前記溝及び／又は切欠き内に形成された金属化部は、前記基板の表面と、１平面上で合致していて、前記基板から突出していないので、積み重ねられるようになっている、請求項１から９までのいずれか１項記載の方法。
【請求項１１】
請求項１から１０までのいずれか１項記載の方法によって製造された、埋め込まれた導電性の金属構造体若しくは金属化部を備えた基板において、
前記金属構造体若しくは金属化部は、前記基板の表面から測定して、３０μｍより大きな垂直方向厚さを有していることを特徴とする、埋め込まれた導電性の金属構造体若しくは金属化部を備えた基板。
【請求項１２】
４０μｍより大きな垂直方向厚さを有している、請求項１１記載の基板。
【請求項１３】
４５μｍより大きな垂直方向厚さ、好適には５０μｍの垂直方向厚さを有している、請求項１１又は１２記載の基板。
【誤訳訂正２】
【訂正対象書類名】明細書
【訂正対象項目名】００１５
【訂正方法】変更
【訂正の内容】
【００１５】
上述した方法で製造された、導電性の金属構造体若しくは金属化部が埋め込まれた、本発明による基板の優れた点は、金属構造体若しくは金属化部が、基板の表面から測定して、３０μｍより大きな、特に好適には４０μｍより大きな、極めて特に好適には４５μｍより大きな、重要な用途では５０μｍの垂直方向厚さを有している点にある。
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
１つまたは複数のインフルエンザ抗原を提示するウイルス様粒子（「ＶＬＰ」）を生成する方法であって、前記ＶＬＰが直径４０ｎｍ〜２５０ｎｍの平均サイズ分布を有し、下記ステップ：
ｉ．ニコチアナタバカム植物の選択品種、育種系統、または栽培変種とアグロバクテリウム種の選択株の組合せを用意するステップであって、品種、育種系統、または栽培変種が、０．３２のＯＤ600の細胞密度で選択アグロバクテリウム株を前記品種、育種系統、または栽培変種の葉にシリンジで注射した５日後に、１０％未満の壊死、５％未満の壊死、２％未満の壊死、または１％未満の壊死を示すステップ、
ｉｉ．０．１〜４．０のＯＤ600でニコチアナタバカム植物において機能的な制御エレメントの調節下にある１つまたは複数のインフルエンザ抗原のコード配列を含むバイナリーベクターを含む、アグロバクテリウム種の選択株の懸濁液を、ニコチアナタバカムの品種、育種系統、または栽培変種の完全植物に浸潤させるステップ、
ｉｉｉ．浸潤状態の植物中で発現可能なヌクレオチド配列の発現および異種ポリペプチドの蓄積を可能にする条件下で、浸潤状態の植物を５日間〜２０日間の間インキュベートするステップ
を含む方法。
【請求項２】
ＶＬＰの（ｉ）精製／清浄化および（ｉｉ）捕捉ステップをさらに含む、請求項１に記載の方法。
【請求項３】
前記バイナリーベクターが、大腸菌およびアグロバクテリウム細胞におけるプラスミドの維持および複製に必要不可欠である、タバコ植物細胞へのＴ−ＤＮＡの移動のための配列エレメント、ならびにさらなるＴ−ＤＮＡ領域を含む、最小サイズのバイナリーベクターであり、必要不可欠な配列エレメントが最小サイズのバイナリーベクター全体の少なくとも６０％、６５％、７０％、７５％、または８０％を占める、請求項１および２のいずれか１項に記載の方法。
【請求項４】
インフルエンザ抗原がインフルエンザ血球凝集素またはその免疫原性断片である、請求項１から３のいずれか１項に記載の方法。
【請求項５】
前記バイナリーベクターが植物選択可能マーカー遺伝子を含む、請求項１から４のいずれか１項に記載の方法。
【請求項６】
浸潤状態の植物を７日間〜１５日間の間インキュベートする、請求項１から５のいずれか１項に記載の方法。
【請求項７】
浸潤状態の植物を８日間〜１０日間の間インキュベートする、請求項１から５のいずれか１項に記載の方法。
【請求項８】
１つまたは複数のインフルエンザ抗原を提示するウイルス様粒子（「ＶＬＰ」）を含むＶＬＰの組成物であって、前記ＶＬＰが請求項１〜７のいずれか１項に記載の方法によって生成され、かつ直径５０ｎｍ〜２００ｎｍの平均サイズ分布を有する組成物。
【請求項９】
前記ＶＬＰが脂肪酸とステロールの組合せを含む脂質二重層で構成される、請求項８に記載の組成物。
【請求項１０】
ＶＬＰの脂質二重層が
ａ．０．５μｇ／ｍＬ未満のオレイン酸、ならびに／または
ｂ．３．０μｇ／ｍＬ〜５．０μｇ／ｍＬの濃度のリノール酸および／もしくはリノレン酸、ならびに／または
ｃ．０．７５μｇ／ｍＬを超えるアラキドン酸
の含量を有する、請求項８または９に記載の組成物。
【請求項１１】
ＶＬＰの脂質二重層が、ＬＣ−ＡＰＰＣＩ−ＭＳ／ＭＳにより決定したときに１より大きいコレステロール：シトステロール比を有する、請求項８から１０のいずれか１項に記載の組成物。
【請求項１２】
ＶＬＰが０．３０〜０．４５である脂質（脂肪酸およびステロール）のタンパク質に対する質量比を示す、請求項８から１１のいずれか１項に記載の組成物。
【請求項１３】
ＶＬＰ上で提示される抗原が血球凝集素である、請求項８から１２のいずれか１項に記載の組成物。
【請求項１４】
血球凝集素がＡ型インフルエンザまたはＢ型インフルエンザ血球凝集素である、請求項１３に記載の組成物。
【請求項１５】
インフルエンザ亜型Ａ血球凝集素が、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、およびＨ１６からなる群から選択される、請求項１４に記載の組成物。
【請求項１６】
インフルエンザ亜型Ａ血球凝集素がＨ５亜型の血球凝集素である、請求項１５に記載の組成物。
【請求項１７】
ウイルス様粒子により提示される血球凝集素が
ａ．Ｓ−アシル化状態
ｂ．Ｎ−グリコシル化状態
ｃ．Ｓ−アシル化状態かつＮ−グリコシル化状態である、
請求項１３から１６のいずれか１項に記載の組成物。
【請求項１８】
血球凝集素が配列番号１４中に示すインフルエンザ血球凝集素５ポリペプチド（Ｈ５）である、請求項１６または１７に記載の組成物。
【請求項１９】
わずか２個の細胞質システインがパルミチン酸でのアシル化により翻訳後修飾される、請求項８から１８のいずれか１項に記載の組成物。
【請求項２０】
薬学的に許容される担体と一緒に、治療上または免疫学上有効な量の請求項８から１９のいずれか１項に記載の１つまたは複数のインフルエンザ抗原を提示するＶＬＰを含む組成物。
【請求項２１】
アジュバントを含む請求項８から２０のいずれか１項に記載の組成物。
【請求項２２】
前記組成物の投与後に対象において免疫応答を誘導するための、請求項２０または請求項２１に記載の組成物。
【請求項２３】
治療の必要がある対象におけるインフルエンザウイルス感染に対する治療または予防において使用するための、請求項８から２２のいずれか１項に記載の組成物。
【請求項２４】
１つまたは複数のインフルエンザ抗原を提示するウイルス様粒子（「ＶＬＰ」）を含むニコチアナタバカム植物から得たＶＬＰの組成物であって、前記ＶＬＰが直径５０ｎｍ〜２００ｎｍの平均サイズ分布を有する組成物。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
式Ｉを有する化合物、そのエナンチオマー、ジアステレオ異性体、水和物、溶媒和化合物、互変異性体またはその薬剤的に許容可能な塩。
【化１】
2014533274.tif 000001
式Ｉ
式中、Ｒ1は置換されてもよいＣ7−Ｃ11アルキル、置換されてもよいＣ2−Ｃ8アルケニル、置換されてもよいＣ2−Ｃ8アルキニル、置換されてもよいＣ4またはＣ6-8シクロアルキル、置換されてもよいアリール、置換ベンジル、置換されてもよい複素環、置換されてもよいＣ3−Ｃ10シクロアルケニル、置換されてもよいＣ5−Ｃ10シクロジエン、置換されてもよいＯ（Ｃ3−Ｃ6）アルキル、アミノ基、スルホンアミド基、アミド基であり、フェニルを除く。
【請求項２】
Ｒ1は
【化２】
2014533274.tif 000002
である請求項１に記載の化合物。
【請求項３】
Ｒ1は置換アリールである請求項１に記載の化合物。
【請求項４】
Ｒ1は
【化３】
2014533274.tif 000003
である請求項１に記載の化合物。
【請求項５】
以下の構造を有する請求項１に記載の化合物。
【化４】
2014533274.tif 000004
【請求項６】
以下の構造を有する請求項１に記載の化合物。
【化５】
2014533274.tif 000005
【請求項７】
以下の構造を有する請求項１に記載の化合物。
【化６】
2014533274.tif 000006
【請求項８】
有効成分として、治療有効量の請求項１に記載の化合物を含み、且つ薬剤的に許容可能なアジュバント、希釈剤および／または担体を更に含んでいてもよい、医薬組成物。
【請求項９】
化合物が以下から選択される請求項８に記載の医薬組成物。
【化７】
2014533274.tif 000007
【請求項１０】
グルココルチコイド受容体の調節に関連する障害を治療するための、請求項８又は９に記載の医薬組成物。
【請求項１１】
ミネラルコルチコイド受容体の調節に関連する障害を治療するための、請求項８又は９に記載の医薬組成物。
【請求項１２】
眼病態を治療するための請求項８又は９に記載の医薬組成物であって、前記眼病態が、眼内圧亢進、緑内障、ぶどう膜炎、網膜静脈閉塞、黄斑変性、糖尿病性網膜症、様々な形態の黄斑浮腫、術後炎症、眼瞼および眼球結膜、角膜、並びに眼球の前眼部の炎症性の病態、例えば、アレルギー性結膜炎、酒さ、ドライアイ、眼瞼炎、網膜剥離、マイボーム腺機能不全、表在性点状角膜炎、帯状ヘルペス角膜炎、虹彩炎症、毛様体炎、選択された感染性結膜炎、化学物質、放射線、若しくは熱傷からの角膜損傷、異物の侵入、アレルギー、またはその組み合わせ等から成る群から選択される、前記医薬組成物。
【請求項１３】
眼病態を治療するための請求項８又は９に記載の医薬組成物であって、前記眼病態がドライアイ、眼瞼炎、酒さ、マイボーム腺機能不全、ぶどう膜炎および黄斑変性から選択される、前記医薬組成物。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
肌の状態を患う患者について肌の状態を治療するための医薬組成物であって、治療上有効な量の７−（１Ｈ−イミダゾール−４−イルメチル）−５，６，７，８−テトラヒドロキノリン、その各光学異性体もしくはその各互変異性体、またはそれらの薬学的に許容される塩を含む医薬組成物。
【請求項２】
前記医薬組成物は、（Ｒ）−（−）−７−（１Ｈ−イミダゾール−４−イルメチル）−５，６，７，８−テトラヒドロキノリンを含む、請求項１に記載の医薬組成物。
【請求項３】
前記医薬組成物は、（Ｓ）−（＋）−７−（１Ｈ−イミダゾール−４−イルメチル）−５，６，７，８−テトラヒドロキノリンを含む、請求項１に記載の医薬組成物。
【請求項４】
治療される状態は、酒さ、劇症酒さ、日焼け、乾癬、閉経に関連した顔面潮紅、顔面潮紅に関連した潮紅および発赤、顔面潮紅に関連した紅斑、睾丸切除に由来するアトピー性皮膚炎による顔面潮紅、虫刺されによる発赤およびかゆみの治療、光老化、脂漏性皮膚炎、ざ瘡、アレルギー性皮膚炎、顔面の毛細管拡張症（以前から存在していた毛細血管の膨張）、血管拡張症、酒さ鼻（小胞膨張による鼻の異常肥大）、ざ瘡状皮疹（にじみ出たり固くなったりする）、灼熱感や刺激感、肌の紅斑、皮膚血管の膨張を伴う皮下の機能昂進、ライエル症候群、スティーブン・ジョンソン症候群、痔に関連した局所的掻痒または不快感、痔、軽症型多形紅斑、重症型多形紅斑、結節性紅斑、目の周りのむくみ、じんましん、心因性掻痒症（ｐｒｕｒｉｔｉｓ）、紫斑病、静脈瘤、接触性皮膚炎、アトピー性皮膚炎、貨幣状皮膚炎、全身性剥脱性皮膚炎、鬱滞性皮膚炎、慢性単純性苔癬、口囲皮膚炎、髭の偽性毛嚢炎、環状肉芽腫、光線角化症、基底細胞がん、扁平上皮細胞がん、および湿疹から選択される、請求項１に記載の医薬組成物。
【請求項５】
前記状態は酒さである、請求項４に記載の医薬組成物。
【請求項６】
前記状態は乾癬である、請求項４に記載の医薬組成物。
【請求項７】
前記状態は劇症酒さである、請求項４に記載の医薬組成物。
【請求項８】
前記状態は顔面の毛細管拡張症である、請求項４に記載の医薬組成物。
【請求項９】
前記状態は肌の紅斑である、請求項４に記載の医薬組成物。
【請求項１０】
前記状態が日焼けである、請求項４記載の医薬組成物。
【請求項１１】
前記医薬組成物は、局所皮膚外用剤、懸濁液、ゲル、溶液、クリーム、ローション、軟膏、フォーム、乳濁液、ミクロ乳濁液、乳液、美容液、エアロゾル、スプレー、分散液、マイクロカプセル、ベシクル、微小粒子、濡れた布、乾燥した布、顔面用の布、または直接注射剤として適した製剤中にある、請求項１〜１０のいずれかに記載の医薬組成物。
【請求項１２】
包装材と前記包装材内部に含まれる医薬品を含む製造品で、前記医薬品が皮膚状態の治療にあたり治療上有効であり、前記包装材は前記医薬品が皮膚状態を治療するために用いることができることを示すラベルを含み、前記医薬品は治療上有効量の７−（１Ｈ−イミダゾール−４−イルメチル）−５，６，７，８−テトラヒドロキノリンまたはその光学異性体を含む、製造品。
【請求項１３】
前記医薬品は治療上有効量の（Ｓ）−（＋）−７−（１Ｈ−イミダゾール−４−イルメチル）−５，６，７，８−テトラヒドロキノリンを含む、請求項１２に記載の製造品。
【請求項１４】
眼酒さ、翼状片または結膜充血を患う患者について眼酒さ、翼状片または結膜充血を治療するための医薬組成物であって、治療上有効量の７−（１Ｈ−イミダゾール−４−イルメチル）−５，６，７，８−テトラヒドロキノリン、その各光学異性体もしくはその各互変異性体、またはそれらの薬学的に許容される塩を含む医薬組成物。
【請求項１５】
前記医薬組成物は、（Ｒ）−（−）−７−（１Ｈ−イミダゾール−４−イルメチル）−５，６，７，８−テトラヒドロキノリンを含む、請求項１４に記載の医薬組成物。
【請求項１６】
前記医薬組成物は、（Ｓ）−（＋）−７−（１Ｈ−イミダゾール−４−イルメチル）−５，６，７，８−テトラヒドロキノリンを含む、請求項１４に記載の医薬組成物。
【手続補正書】
【提出日】平成28年8月23日(2016.8.23)
【手続補正１】
【補正対象書類名】明細書
【補正対象項目名】００１６
【補正方法】変更
【補正の内容】
【００１６】
「シリコーンを実質的に含有しない」とは、出発化合物としてシリコーン基を含むものを全く含有させないでパーソナルケア処方物が処方されていることを意味する。例えば、本発明の処方物はシリコーンを０．０９重量％未満、好ましくは０．０８重量％以下しか含有しない。
【手続補正２】
【補正対象書類名】明細書
【補正対象項目名】００６７
【補正方法】変更
【補正の内容】
【００６７】
Ｌｅｘｏｒｅｚ２００は、２５℃での粘度が約２５，０００ｃＰの粘性ポリエステルである。実施例３と同様にして試料Ｓ１〜Ｓ６を調製した。使い捨てホールピペットを使用して、ペトリ皿の左側に０．２０ｇのＬｅｘｏｒｅｚ２００を塗布し、ペトリ皿の右側にＳ１〜Ｓ６のいずれかを０．２０ｇ塗布した。各試料を手で拡げて直径２センチメートルの円状に被覆した。各円状試料上に標準的なコットンボール（美容用品店で購入）を置いた。コットンボールを試料に押し付けた後、上方に動かして引き離した。各円状試料に残ったコットン繊維量を目視で評価し、写真的手段で記録した。
【手続補正３】
【補正対象書類名】明細書
【補正対象項目名】００６９
【補正方法】変更
【補正の内容】
【００６９】
実施例６：顔料粉砕物（ｐｉｇｍｅｎｔ  ｇｒｉｎｄ）の評価
【手続補正４】
【補正対象書類名】明細書
【補正対象項目名】００７５
【補正方法】変更
【補正の内容】
【００７５】
実施例７：つやの評価
【手続補正５】
【補正対象書類名】明細書
【補正対象項目名】００８０
【補正方法】変更
【補正の内容】
【００８０】
実施例８：天然皮膚保湿ローション
【手続補正６】
【補正対象書類名】明細書
【補正対象項目名】００８５
【補正方法】変更
【補正の内容】
【００８５】
実施例９：制汗剤スティック
【手続補正７】
【補正対象書類名】明細書
【補正対象項目名】００９０
【補正方法】変更
【補正の内容】
【００９０】
実施例１０：天然リップステイン
【手続補正８】
【補正対象書類名】明細書
【補正対象項目名】００９５
【補正方法】変更
【補正の内容】
【００９５】
実施例１１：シリコーン非含有天然毛髪用コンディショナー
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
溶液のｐＨ値を検出するためのｐＨ値検出装置であって、
前記溶液中に挿入される第１の電極及び第２の電極であって、前記第１の電極は、遷移金属／遷移金属酸化物電極を含み、前記第２の電極は、不活性電極を含む、当該第１の電極及び第２の電極と、
前記第１の電極及び前記第２の電極にバイポーラ矩形電位パルス信号を印加するための電源と、
前記第１の電極及び前記第２の電極を通って流れる電流Ｉを検出するための、前記第１の電極と前記第２の電極との間に接続される電流検出手段と、
前記検出された電流Ｉに基づいて、前記溶液の前記ｐＨ値を計算するための計算ユニットと、を含む装置。
【請求項２】
前記遷移金属／遷移金属酸化物電極は、Ａｇ／Ａｇ２Ｏ電極、Ｗ／ＷＯ３電極、Ｍｎ／ＭｎＯ電極、又はＩｒ／ＩｒＯ２電極から選択され、前記不活性電極は、Ｃｕ電極、Ｐｔ電極、Ａｕ電極、又はステンレス鋼電極から選択される、請求項１に記載の装置。
【請求項３】
前記ｐＨ値検出装置は、前記電流Ｉ及び前記ｐＨ値を相関させる関数を事前に記憶するための記憶ユニットを含む、請求項１に記載の装置。
【請求項４】
前記記憶ユニットは、前記電流Ｉ及び前記ｐＨ値を相関させる複数の関数を事前に記憶し、各関数は、前記検出される溶液のタイプに関連付けられ、前記ｐＨ値検出装置は、
前記複数の関数から或る関数を選択するために、前記検出される溶液の前記タイプを反映するデータの受信のためのユーザインターフェースを更に含む、請求項１に記載の装置。
【請求項５】
前記計算ユニットは、前記検出された電流Ｉ及び前記事前に記憶された関数に従って、前記検出される溶液の前記ｐＨ値を計算する、請求項３又は４に記載の装置。
【請求項６】
溶液のｐＨ値を検出する方法であって、
前記溶液中に挿入された第１の電極及び第２の電極であって、前記第１の電極は、遷移金属／遷移金属酸化物電極を含み、前記第２の電極は、不活性電極を含む、当該第１の電極及び第２の電極にバイポーラ矩形電位パルス信号を印加することと、
前記第１の電極及び前記第２の電極を通って流れる電流Ｉを検出することと、
前記検出された電流Ｉに基づいて、前記溶液の前記ｐＨ値を計算することと、
を含む、方法。
【請求項７】
前記遷移金属／遷移金属酸化物電極は、Ａｇ／Ａｇ２Ｏ電極、Ｗ／ＷＯ３電極、Ｍｎ／ＭｎＯ電極、又はＩｒ／ＩｒＯ２電極から選択され、前記不活性電極は、Ｃｕ電極、Ｐｔ電極、Ａｕ電極、又はステンレス鋼電極から選択される、請求項６に記載の方法。
【請求項８】
前記電流Ｉ及び前記ｐＨ値を関連させる関数を事前に記憶することを更に含む、請求項６に記載の方法。
【請求項９】
前記電流Ｉ及び前記ｐＨ値を相関させる複数の関数を事前に記憶し、各関数は、前記検出される溶液のタイプに関連付けられることを更に含む、請求項６に記載の方法。
【請求項１０】
前記複数の関数から或る関数を選択するために、前記検出される溶液の前記タイプを反映するデータをユーザインターフェースから受信することを更に含む、請求項９に記載の方法。
【請求項１１】
前記検出される溶液の前記ｐＨ値は、前記検出された電流Ｉ及び前記事前に記憶された関数に基づいて計算される、請求項９又は１０に記載の方法。